(57)【要約】【課題】外国からの訪日観光客向けに特化したモバイルルータ及びそれを用いた通信システムを提供する。【解決手段】モバイルルータ１００は、ユーザが使用するユーザ端末１０１、管理サーバ１０２及び外部サーバ１０３との間でパケットデータを送受信する通信部１２０と、ユーザ端末１０１と管理サーバ１０２及び外部サーバ１０３との間の通信を制御する制御部１２１と、ルーティング設定を含むルーティングテーブルを格納するルーティングテーブル格納部１２４とを備え、制御部１２１が、ユーザ端末１０１から送信された外部サーバ１０３へのリクエストの受信が初回の場合のみ該リクエストを管理サーバ１０２に転送し、以後の外部サーバ１０３へのリクエストを該外部サーバ１０３へ転送するようルーティング設定を更新する。【選択図】図１
2017162140.tif 000002
【特許請求の範囲】
【請求項１】
外国からの訪日観光客向けに特化したモバイルルータであって、
ユーザが使用するユーザ端末、管理サーバ及び外部サーバとの間でパケットデータを送受信する通信部と、
前記ユーザ端末と前記管理サーバ及び前記外部サーバとの間の通信を制御する制御部と、
ルーティング設定を含むルーティングテーブルを格納するルーティングテーブル格納部とを備え、
前記制御部が、前記ユーザ端末から送信された外部サーバへのリクエストの受信が初回の場合のみ該リクエストを前記管理サーバに転送し、以後の外部サーバへのリクエストを該外部サーバへ転送するよう前記ルーティング設定を更新することを特徴とするモバイルルータ。
【請求項２】
請求項１に記載のモバイルルータと、ユーザが使用するユーザ端末と、管理サーバと、外部サーバとを備える通信システムであって、
前記管理サーバは、前記ユーザ端末から前記モバイルルータを経て送信された外部サーバへのリクエストを受信した場合に、該ユーザ端末に対して特定サイトへのリダイレクトを送信することを特徴とする通信システム。
【発明の詳細な説明】
【技術分野】
【０００１】
本発明は、通信を中継するモバイルルータ及びそれを用いた通信システムに関する。
【背景技術】
【０００２】
外国からの訪日観光客が増加し、いわゆるインバウンド需要が拡大している昨今、日本国内の自治体や事業者は、積極的な情報発信によって知名度の向上や来店の促進に取り組んでいる。
【０００３】
しかしながら、日本国内の自治体や事業者が上記のような活動によって訪日観光客に対する様々なアプローチに取り組んでいる一方、訪日観光客は、インターネット接続環境が脆弱である点、ステレオタイプな情報が多い点、買い物する時間が十分に確保できない点、さらに、自国の言語（例えば、中国からの訪日観光客の場合は中国語）が通じない、といった不満を感じることが多かった。
【発明の概要】
【発明が解決しようとする課題】
【０００４】
本発明は、以上のような事情に鑑みてなされたものである。即ち、本発明は、外国からの訪日観光客向けに特化したモバイルルータ及びそれを用いた通信システムを提供することを目的とする。
【課題を解決するための手段】
【０００５】
以上の課題を解決するために、本発明に係るモバイルルータは、外国からの訪日観光客向けに特化したモバイルルータであって、ユーザが使用するユーザ端末、管理サーバ及び外部サーバとの間でパケットデータを送受信する通信部と、ユーザ端末と管理サーバ及び外部サーバとの間の通信を制御する制御部と、ルーティング設定を含むルーティングテーブルを格納するルーティングテーブル格納部とを備え、制御部が、ユーザ端末から送信された外部サーバへのリクエストの受信が初回の場合のみ該リクエストを管理サーバに転送し、以後の外部サーバへのリクエストを該外部サーバへ転送するようルーティング設定を更新することを特徴とする。
【０００６】
また、本発明に係る通信システムは、上記のモバイルルータと、ユーザが使用するユーザ端末と、管理サーバと、外部サーバとを備える通信システムであって、管理サーバは、ユーザ端末からモバイルルータを経て送信された外部サーバへのリクエストを受信した場合に、該ユーザ端末に対して特定サイトへのリダイレクトを送信することを特徴とする。
【発明の効果】
【０００７】
本発明によれば、外国からの訪日観光客向けに特化したモバイルルータ及びそれを用いた通信システムを提供できる。
【図面の簡単な説明】
【０００８】
【図１】図１は、本発明に係る通信システム１１０を示した概念図である。
【図２】図２は、本発明に係るモバイルルータ１００の構成を示したブロック図である。
【図３】図３は、本発明に係る通信システム１１０の情報処理を示したフローチャートである。
【発明を実施するための形態】
【０００９】
以下、本発明に係るモバイルルータ１００及びそれを用いた通信システム１１０の実施形態を詳細に説明する。なお、全ての図を通して、同一の参照符号は、同一の物又は同等の物を示すものとする。
【００１０】
まず、本発明に係る通信システム１１０の構成について、図１を参照しながら説明する。
【００１１】
図１は、本発明に係る通信システム１１０を示した概念図である。図示されるように、通信システム１１０は、モバイルルータ１００と、ユーザ端末１０１と、管理サーバ１０２と、外部サーバ１０３とを備えて構成されている。符号１０４は、インターネット通信網を示している。
【００１２】
モバイルルータ１００は、ユーザ端末１０１と管理サーバ１０２及び外部サーバ１０３との間の接続を中継するルータ装置である。なお、モバイルルータ１００は１台に限定されず、複数台あっても良い。
【００１３】
ユーザ端末１０１は、通信システム１１０のユーザ、例えば外国からの訪日観光客が使用する情報端末であり、例えば携帯電話、スマートフォン、ノートパソコン、ＰＤＡなどである。ユーザ端末１０１は、モバイルルータ１００との間で無線ＬＡＮ通信又は有線ＬＡＮ通信を行う。なお、１台のモバイルルータ１００と通信するユーザ端末１０１は１台に限定されず、複数台あっても良い。
【００１４】
管理サーバ１０２は、通信システム１１０を管理するサーバ装置であり、後述する管理サイトが格納されている。管理サーバ１０２は、インターネット通信網１０４を介して、モバイルルータ１００との間でインターネット通信を行う。
【００１５】
外部サーバ１０３は、検索エンジンのサーバなど、外部のサービスを提供するサーバ装置である。外部サーバ１０３は、インターネット通信網１０４を介して、モバイルルータ１００との間でインターネット通信を行う。
【００１６】
次に、本発明に係るモバイルルータ１００の構成について、図２を参照しながら説明する。
【００１７】
図２は、本発明に係るモバイルルータ１００の構成を示したブロック図である。図示されるように、モバイルルータ１００は、通信部１２０と、制御部１２１と、ＲＡＭ１２２と、ＲＯＭ１２３と、ルーティングテーブル格納部１２４とを備えている。なお、通信部１２０、制御部１２１、ＲＡＭ１２２、ＲＯＭ１２３及びルーティングテーブル格納部１２４は、バス１２５を介して相互に通信が可能となっている。
【００１８】
通信部１２０は、ユーザ端末１０１、管理サーバ１０２及び外部サーバ１０３との間でパケットデータを送受信するためのインターフェースである。
【００１９】
制御部１２１は、モバイルルータ１００を構成する各部を制御する中央演算処理装置である。
【００２０】
ＲＡＭ１２２は、制御部１２１のワークエリアとなる主記憶装置である。
【００２１】
ＲＯＭ１２３は、各種のプログラムや各種の設定を記憶する補助記憶装置である。
【００２２】
ルーティングテーブル格納部１２４は、ルーティング設定を含むルーティングテーブルを格納する記憶装置である。なお、ルーティングテーブル格納部１２４は、ＲＯＭ１２３に統合されていても良い。
【００２３】
次に、本発明に係る通信システム１１０の情報処理について、図３を参照しながら説明する。
【００２４】
図３は、本発明に係る通信システム１１０の情報処理を示したフローチャートである。
まず、モバイルルータ１００が作動すると、ルーティング設定を初期化する（ステップＳ１４０）。具体的には、制御部１２１が、ユーザ端末１０１から何らかのＵＲＬへのパケットを管理サーバ１０２のＩＰアドレスへ転送するように、ルーティング設定格納部１２４に格納されたルーティング設定を初期化する。
続いて、ユーザ端末１０１がモバイルルータ１００に対して、接続要求を送信する（ステップＳ１４１）。
続いて、モバイルルータ１００が、ステップＳ１４１において送信された接続要求を受信し、ユーザ端末１０１との接続を確立する（ステップＳ１４２）。
続いて、ユーザ端末１０１がモバイルルータ１００に対して、外部サーバ１０３へのリクエストを送信する（ステップＳ１４３）。なお、本実施形態では、ユーザ端末１０１が検索エンジンへのリクエストを送信したものとして説明する。
続いて、モバイルルータ１００が、ステップＳ１４３において送信された検索エンジンへのリクエストを受信する（ステップＳ１４４）。
続いて、モバイルルータ１００が、ステップＳ１４０において初期化されたルーティング設定に基づいて、ステップＳ１４４において受信した検索エンジンへのリクエストを管理サーバ１０２へ転送する（ステップＳ１４５）。
続いて、管理サーバ１０２が、ステップＳ１４５において転送された検索エンジンへのリクエストを受信する（ステップＳ１４６）。
続いて、管理サーバ１０２がモバイルルータ１００に対して、特定サイトへのリダイレクトを送信する（ステップＳ１４７）。なお、本実施形態では、特定サイトが管理サーバ１０２に格納された管理サイトであるものとして説明する。
続いて、モバイルルータ１００が、ステップＳ１４７において送信された管理サイトへのリダイレクトを受信する（ステップＳ１４８）。
続いて、モバイルルータ１００がユーザ端末１０１に対して、ステップＳ１４８において受信した管理サイトへのリダイレクトを転送する（ステップＳ１４９）。
続いて、ユーザ端末１０１が、ステップＳ１４９において転送された管理サイトへのリダイレクトを受信する（ステップＳ１５０）。
続いて、ユーザ端末１０１がモバイルルータ１００に対して、管理サイトの表示要求を送信する（ステップＳ１５１）。
続いて、モバイルルータ１００が、ステップＳ１５１において送信された管理サイトの表示要求を受信する（ステップＳ１５２）。
続いて、モバイルルータ１００が管理サーバ１０２に対して、ステップＳ１５２において受信した管理サイトの表示要求を転送する（ステップＳ１５３）。
続いて、モバイルルータ１００が、ルーティング設定を更新する（ステップＳ１５４）。具体的には、制御部１２１が、ステップＳ１５３において受信した管理サイトの表示要求の送信元ＩＰアドレスからのパケットを通過させることを優先するように、ルーティング設定格納部１２４に格納されたルーティング設定を更新する。
一方、管理サーバ１０２が、ステップＳ１５３において転送された管理サイトの表示要求を受信する（ステップＳ１５５）。
なお、ステップＳ１５４とステップＳ１５５の時系列的な順番は特に限定されず、どちらが先であっても良く、また、同時であっても良い。
続いて、管理サーバ１０２がモバイルルータ１００に対して、管理サイトのＨＴＭＬを送信する（ステップＳ１５６）。
続いて、モバイルルータ１００が、ステップＳ１５６において送信された管理サイトのＨＴＭＬを受信する（ステップＳ１５７）。
続いて、モバイルルータ１００がユーザ端末１０１に対して、ステップＳ１５７において受信した管理サイトのＨＴＭＬを転送する（ステップＳ１５８）。
続いて、ユーザ端末１０１が、ステップＳ１５８において転送された管理サイトのＨＴＭＬを受信する（ステップＳ１５９）。
続いて、ユーザ端末１０１が、ステップＳ１５９において受信した管理サイトのＨＴＭＬをブラウザなどによって表示する（ステップＳ１６０）。
続いて、ユーザ端末１０１がモバイルルータ１００に対して、外部サーバ１０３へのリクエストを送信する（ステップＳ１６１）。なお、本実施形態では、ユーザ端末１０１が検索エンジンへのリクエストを送信したものとして説明する。
続いて、モバイルルータ１００が、ステップＳ１６１において送信された検索エンジンへのリクエストを受信する（ステップＳ１６２）。
続いて、モバイルルータ１００が、ステップＳ１５４において更新されたルーティング設定に基づいて、ステップＳ１６２において受信した検索エンジンへのリクエストを該当する外部サーバ１０３へ転送する（ステップＳ１６３）。
続いて、外部サーバ１０３が、ステップＳ１６３において転送された検索エンジンへのリクエストを受信する（ステップＳ１６４）。
続いて、外部サーバ１０３がモバイルルータ１００に対して、検索エンジンのＨＴＭＬを送信する（ステップＳ１６５）。
続いて、モバイルルータ１００が、ステップＳ１６５において送信された検索エンジンのＨＴＭＬを受信する（ステップＳ１６６）。
続いて、モバイルルータ１００がユーザ端末１０１に対して、ステップＳ１６６において受信した検索エンジンのＨＴＭＬを転送する（ステップＳ１６７）。
続いて、ユーザ端末１０１が、ステップＳ１６７において転送された検索エンジンのＨＴＭＬを受信する（ステップＳ１６８）。
続いて、ユーザ端末１０１が、ステップＳ１６８において受信した検索エンジンのＨＴＭＬをブラウザなどによって表示する（ステップＳ１６９）。
以後、ステップＳ１６１乃至ステップＳ１６９を繰り返すことができる。
【００２５】
本発明に係るモバイルルータ１００及びそれを用いた通信システム１１０は、外国からの訪日観光客向けに特化することができる。即ち、本発明に係るモバイルルータ１００を訪日観光客に対して、例えば当該訪日観光客の出発国において貸与する一方、管理サーバ１０２に格納される管理サイトを、日本国内の自治体や事業者から提供された各種情報を当該訪日観光客の言語に翻訳したコンテンツで構成する。このように外国からの訪日観光客向けに特化すれば、訪日観光客が日本に到着した段階でインターネット接続が提供されることとなり、また、管理サイトが訪日観光客の端末（ユーザ端末１０１）に必ず表示されるため、自治体、事業者の商品やサービスを訪日観光客に知ってもらうこと、感じてもらう機会が増えて来店動機を高めるなどの効果が得られる。これにより、インターネット接続環境などのインフラも含めた、訪日観光客目線の有機的な仕組みが実現する。
【００２６】
以上、本発明の好適な実施形態について説明したが、本発明は上記の各実施形態に限定されるものではなく、各実施形態及びその変形例を組み合わせて良い他、本発明の趣旨を逸脱しない範囲において種々の改変が可能であることは言うまでもない。
【符号の説明】
【００２７】
１００    モバイルルータ
１０１    ユーザ端末
１０２    管理サーバ
１０３    外部サーバ
１０４    インターネット通信網
１１０    通信システム
１２０    通信部
１２１    制御部
１２２    ＲＡＭ
１２３    ＲＯＭ
１２４    ルーティングテーブル格納部
１２５    バス
【図１】
2017162140.tif 000003
【図２】
2017162140.tif 000004
【図３】
2017162140.tif 000005